(57)【要約】【課題】アプリケーション間の連携を可能とすること。ユーザーが最適な情報を入手可能とすること。アプリケーションの運営元に広告収入を可能とすること。【解決手段】システムは、第１アプリケーションが起動しており、且つ、所定の条件が満たされた場合に、第２アプリケーションを起動する。また、システムは、ユーザー特性に基づいて、複数のアプリケーションから、起動するアプリケーションを決定し、決定したアプリケーションを起動する。また、システムは、アプリケーションが紹介した情報に従って収益がフィードバックされた場合、アプリケーションの運営元に課金を行う。【選択図】図１
2019114044.tif 000002
【特許請求の範囲】
【請求項１】
第１アプリケーションが起動しており、且つ、所定の条件が満たされた場合に、第２アプリケーションを起動することを特徴とするシステム。
【請求項２】
所定の条件は、場所であることを特徴とする請求項１に記載のシステム。
【請求項３】
前記第１アプリケーションは、ナビゲーションアプリケーションであり、
前記第２アプリケーションは、レストランガイドアプリケーションであり、
前記ナビゲーションアプリケーションにより、目的地への誘導が行われた場合に、前記レストランガイドアプリケーションを起動することを特徴とする請求項１又は２に記載のシステム。
【請求項４】
所定の条件は、時間であることを特徴とする請求項１に記載のシステム。
【請求項５】
前記第１アプリケーションは、スケジュールアプリケーションであり、
前記第２アプリケーションは、レストランガイドアプリケーションであり、
前記スケジュールアプリケーションにより、予定の時間が検出された場合に、前記レストランガイドアプリケーションを起動することを特徴とする請求項１又は３に記載のシステム。
【請求項６】
ユーザー特性に基づいて、複数のアプリケーションから、起動するアプリケーションを決定し、
決定したアプリケーションを起動することを特徴とするシステム。
【請求項７】
前記ユーザー特性は、アプリケーションの使用履歴であることを特徴とする請求項６に記載のシステム。
【請求項８】
複数の前記ユーザー特性が、ビッグデータとして、クラウドサーバーに記憶されていることを特徴とする請求項６又は７に記載のシステム。
【請求項９】
前記ユーザー特性として、レストランガイドアプリケーションの使用履歴が高い場合、レストランガイドアプリケーションを起動することを特徴とする請求項６〜８のいずれか１項に記載のシステム。
【請求項１０】
アプリケーションが紹介した情報に従って収益がフィードバックされた場合、前記アプリケーションの運営元に課金を行うことを特徴とするシステム。
【請求項１１】
前記アプリケーションは、レストランガイドアプリケーションであり、
前記レストランアプリケーションが紹介したレストランの情報に従って、レストランの利用がなされた場合、前記レストランガイドアプリケーションの運営元に課金を行うことを特徴とする請求項１０に記載のシステム。
【請求項１２】
前記レストランガイドアプリケーションは、ＧＰＳに基づいて、利用されたレストランを特定することを特徴とする請求項１１に記載のシステム。
【請求項１３】
前記レストランガイドアプリケーションは、レビューが書き込まれた場合、レビューが書き込まれたレストランを、利用されたレストランとして特定することを特徴とする請求項１１に記載のシステム。
【請求項１４】
前記レストランガイドアプリケーションは、利用されたレストランを特定し、特定したレストランの使用履歴を、ビッグデータとしてユーザー特性を記憶するクラウドサーバーに送信することを特徴とする請求項１１〜１３のいずれか１項に記載のシステム。
【請求項１５】
前記第１アプリケーションを起動しており、且つ、前記第１アプリケーションにより提示された情報が選択された場合、前記第２アプリケーションを起動することを特徴とする請求項１に記載のシステム。
【請求項１６】
前記第２アプリケーションにより提示された情報に基づいて、収益がフィードバックされた場合、前記第１アプリケーションの運営元に課金を行うことを特徴とする請求項１５に記載のシステム。
【請求項１７】
前記第１アプリケーションは、レシピアプリケーションであり、
前記第２アプリケーションは、ショッピングアプリケーションであり、
前記レシピアプリケーションにより提示されたレシピが選択された場合、前記ショッピングアプリケーションを起動すること特徴とする請求項１５又は１６に記載のシステム。
【請求項１８】
前記ショッピングアプリケーションは、レシピの食材を提示し、
前記ショッピングアプリケーションより、提示された食材の購入がなされた場合、前記レシピアプリケーションの運営元に課金を行うことを特徴する請求項１７に記載のシステム。
【請求項１９】
前記ショッピングアプリケーションは、食材の購入履歴を、ビッグデータとしてユーザー特性を記憶するクラウドサーバーに送信することを特徴とする請求項１８に記載のシステム。
【発明の詳細な説明】
【技術分野】
【０００１】
本発明は、アプリケーションを有するシステムに関する。
【背景技術】
【０００２】
例えば、カーナビゲーション装置において、所定の時刻になると、食事の場所を紹介するか否かを問い合わせる技術が、特許文献１に開示されている。カーナビゲーション装置においては、地図の情報、レストランの情報、時刻の情報等が一元管理されているため、地図の情報に基づいて、レストランの情報を、ユーザーに紹介することが可能である。
【先行技術文献】
【特許文献】
【０００３】
【特許文献１】特開２０００−２６６５５１公報
【発明の概要】
【発明が解決しようとする課題】
【０００４】
近年、スマートフォン等において、ユーザーを目的地にナビゲートするナビゲーションアプリケーション、おすすめのレストランを紹介するレストラン（飲食店）ガイドアプリケーション、ユーザーの予定を管理するスケジュールアプリケーションが存在する。しかしながら、これらのアプリケーションは、運営元が異なる、別々のアプリケーションであるため、上述したような、カーナビゲーション装置で可能なことを実現することができない。また、例えば、レストランガイドアプリケーションは複数存在し、それらが有する情報は異なるが、カーナビゲーション装置では、ユーザーは、１つのレストラン情報しか利用できない。また、例えば、レストランガイドアプリケーションが、ユーザーにレストランの情報を紹介し、実際にユーザーが紹介したレストランを利用した場合、レストランアプリケーションの運営元に、広告収入を得させることが考えられるが、カーナビゲーション装置では、不可能である。
【０００５】
本発明の目的は、アプリケーション間の連携を可能とすることである。また、本発明の他の目的は、ユーザーが最適な情報を入手可能とすることである。本発明の他の目的は、アプリケーションの運営元に広告収入を可能とすることである。
【課題を解決するための手段】
【０００６】
第１の発明のシステムは、第１アプリケーションが起動しており、且つ、所定の条件が満たされた場合に、第２アプリケーションを起動することを特徴とする。
【０００７】
本発明では、第１アプリケーションを起動しており、且つ、所定の条件（例えば、場所・時間）が満たされた場合に、第２アプリケーションを起動する。これにより、第１アプリケーションと第２アプリケーションとが連携し、アプリケーション間の連携が可能となる。
【０００８】
第２の発明のシステムは、第１の発明のシステムにおいて、所定の条件は、場所であることを特徴とする。
【０００９】
第３の発明のシステムは、第１又は第２の発明のシステムにおいて、前記第１アプリケーションは、ナビゲーションアプリケーションであり、前記第２アプリケーションは、レストランガイドアプリケーションであり、前記ナビゲーションアプリケーションにより、目的地への誘導が行われた場合に、前記レストランガイドアプリケーションを起動することを特徴とする。
【００１０】
本発明では、ナビゲーションアプリケーションにより、目的地への誘導が行われた場合に、レストランガイドアプリケーションを起動する。これにより、ナビゲーションアプリケーションとレストランガイドアプリケーションとの連携が可能となる。
【００１１】
第４の発明のシステムは、第１の発明のシステムにおいて、所定の条件は、時間であることを特徴とする。
【００１２】
第５の発明のシステムは、第１又は第３の発明のシステムにおいて、前記第１アプリケーションは、スケジュールアプリケーションであり、前記第２アプリケーションは、レストランガイドアプリケーションであり、前記スケジュールアプリケーションにより、予定の時間が検出された場合に、前記レストランガイドアプリケーションを起動することを特徴とする。
【００１３】
本発明では、スケジュールアプリケーションにより、予定の時間が検出された場合に、レストランガイドアプリケーションを起動する。これにより、スケジュールアプリケーションとレストランガイドアプリケーションとの連携が可能となる。
【００１４】
第６の発明のシステムは、ユーザー特性に基づいて、複数のアプリケーションから、起動するアプリケーションを決定し、決定したアプリケーションを起動することを特徴とする。
【００１５】
本発明では、ユーザー特性（例えば、アプリケーションの使用履歴）に基づいて、複数のアプリケーションの中からから、起動するアプリケーションを決定し、決定したアプリケーションを起動する。これにより、ユーザー特性に基づいた最適なアプリケーションを起動し、ユーザーに最適な情報を提供することが可能となる。
【００１６】
第７の発明のシステムは、第６の発明のシステムにおいて、前記ユーザー特性は、アプリケーションの使用履歴であることを特徴とする。
【００１７】
第８の発明のシステムは、第６又は第７の発明のシステムにおいて、複数の前記ユーザー特性が、ビッグデータとして、クラウドサーバーに記憶されていることを特徴とする。
【００１８】
第９の発明のシステムは、第６〜第８のいずれかの発明のシステムにおいて、前記ユーザー特性として、レストランガイドアプリケーションの使用履歴が高い場合、レストランガイドアプリケーションを起動することを特徴とする。
【００１９】
第１０の発明のシステムは、アプリケーションが紹介した情報に従って収益がフィードバックされた場合、前記アプリケーションの運営元に課金を行うことを特徴とする。
【００２０】
本発明では、アプリケーションが紹介した情報に従って収益がフィードバックされた場合、アプリケーションの運営元に課金を行う。これにより、アプリケーションの運営元は、広告収入を得ることができる。
【００２１】
第１１の発明のシステムは、第１０の発明のシステムにおいて、前記アプリケーションは、レストランガイドアプリケーションであり、前記レストランアプリケーションが紹介したレストランの情報に従って、レストランの利用がなされた場合、前記レストランガイドアプリケーションの運営元に課金を行うことを特徴とする。
【００２２】
第１２の発明のシステムは、第１１の発明のシステムにおいて、前記レストランガイドアプリケーションは、ＧＰＳに基づいて、利用されたレストランを特定することを特徴とする。
【００２３】
第１３の発明のシステムは、第１１の発明のシステムにおいて、前記レストランガイドアプリケーションは、レビューが書き込まれた場合、レビューが書き込まれたレストランを、利用されたレストランとして特定することを特徴とする。
【００２４】
第１４の発明のシステムは、第１１〜第１３の発明のシステムにおいて、前記レストランガイドアプリケーションは、利用されたレストランを特定し、特定したレストランの使用履歴を、ビッグデータとしてユーザー特性を記憶するクラウドサーバーに送信することを特徴とする。
【００２５】
第１５の発明のシステムは、第１の発明のシステムにおいて、前記第１アプリケーションを起動しており、且つ、前記第１アプリケーションにより提示された情報が選択された場合、前記第２アプリケーションを起動することを特徴とする。
【００２６】
本発明は、第１アプリケーションを起動しており、且つ、第１アプリケーションにより提示された情報が選択された場合、第２アプリケーションを起動する。これにより、第１アプリケーションと第２アプリケーションとが連携し、アプリケーション間の連携が可能となる。
【００２７】
第１６の発明のシステムは、第１５の発明のシステムにおいて、前記第２アプリケーションにより提示された情報に基づいて、収益がフィードバックされた場合、前記第１アプリケーションの運営元に課金を行うことを特徴とする
【００２８】
本発明では、第２アプリケーションにより提示された情報に基づいて、収益がフィードバックされた場合、第１アプリケーションの運営元に課金を行う。これにより、第１アプリケーションの運営元は、広告収入を得ることができる。
【００２９】
第１７の発明のシステムは、第１５又は第１６の発明のシステムにおいて、前記第１アプリケーションは、レシピアプリケーションであり、前記第２アプリケーションは、ショッピングアプリケーションであり、前記レシピアプリケーションにより提示されたレシピが選択された場合、前記ショッピングアプリケーションを起動すること特徴とする。
【００３０】
第１８の発明のシステムは、第１７の発明のシステムにおいて、前記ショッピングアプリケーションは、レシピの食材を提示し、前記ショッピングアプリケーションより、提示された食材の購入がなされた場合、前記レシピアプリケーションの運営元に課金を行うことを特徴する。
【００３１】
第１９の発明のシステムは、第１８の発明のシステムにおいて、前記ショッピングアプリケーションは、食材の購入履歴を、ビッグデータとしてユーザー特性を記憶するクラウドサーバーに送信することを特徴とする。
【発明の効果】
【００３２】
本発明によれば、アプリケーション間の連携が可能となる。また、ユーザーに最適な情報を提供することが可能となる。また、アプリケーションの運営元は、広告収入を得ることができる。
【図面の簡単な説明】
【００３３】
【図１】本発明の実施形態に係るシステムの構成を示す図である。
【図２】他の例のシステムの構成を示す図である。
【図３】他の例のシステムの構成を示す図である
【発明を実施するための形態】
【００３４】
以下、本発明の実施形態について説明する。図１は、本発明の実施形態に係るシステムの構成を示す図である。本実施形態では、システム１上で、アプリケーションが実行される。ここで、システム１は、スマートフォン等の電子機器であってもよいし、クラウドサーバーであってもよい。また、システム１は、スマートフォン等の電子機器とクラウドサーバーとが協働することで、構成されていてもよい。
【００３５】
システム１は、アプリケーションを起動する。システム１は、手、声等によるユーザー操作を受け付ける。システム１は、例えば、図１に示すように、ユーザー操作に基づいてナビゲーションアプリケーション（第１アプリケーション）を起動する。ナビゲーションアプリケーションは、ユーザー操作を受け付けて、目的地を設定する。ナビゲーションアプリケーションは、ＧＰＳ（Global Positioning System）を用いて、ユーザーを設定した目的地まで誘導する。
【００３６】
ナビアプリケーションにより、ユーザーが目的地まで誘導された場合、すなわち、目的地という場所の条件が満たされた場合、システム１は、他のアプリケーション（第２アプリケーション）を起動する。このとき、システム１は、ユーザー特性が蓄積されたビッグデータに基づいて、複数のアプリケーションの中から、起動するアプリケーションを決定する。ビッグデータは、例えば、クラウドサーバーに記憶されており、複数のユーザー特性が蓄積されている。ここで、ユーザー特性は、例えば、ユーザーのアプリケーションの使用履歴である。例えば、ユーザーのアプリケーションの使用履歴として、レストランガイドアプリケーションの使用履歴が高ければ、システム１は、レストランガイドアプリケーションを起動する。
【００３７】
レストランガイドアプリケーションは、近くのおすすめのレストラン（飲食店）をユーザーに紹介する。レストランガイドアプリケーションは、例えば、ＧＰＳに基づいて、ユーザーが利用したレストランを特定する。また、レストランガイドアプリケーションは、例えば、ユーザーが、利用したレストランについてのレビューを書き込んだ場合、レビューが書き込まれたレストランを、利用したレストランとして特定する。レストランガイドアプリケーションは、レストランの使用履歴（利用されたレストランの情報）を、ビッグデータが記憶されているクラウドサーバーに送信する。
【００３８】
クラウドサーバーは、レストランの使用履歴を受信し、受信したレストランの使用履歴を、ユーザー特性として、ビッグデータに蓄積する。システム１は、ビッグデータ（レストランの使用履歴）を利用して、レストランガイドアプリケーションの運営元に、広告収入として、所定額の課金を行う。このように、レストランガイドアプリケーションが紹介したレストランの情報に従って、レストランの利用（収益のフィードバック）がなされた場合、システム１は、レストランガイドアプリケーションの運営元に課金を行う。なお、ここでは、レストランガイドアプリケーションが、レストランの情報を紹介し、収益のフィードバックとして、レストランの利用がなされた場合を例示した。これに限らず、例えば、ショッピングアプリケーションが商品の情報を紹介し、収益のフィードバックとして、商品の購入がなされた場合に、ショッピングアプリケーションの運営元に、課金を行うようになっていてもよい。
【００３９】
図２は、他の例のシステムを示す図である。図２に示すように、システム１は、スケジュールを管理するスケジュールアプリケーション（第１アプリケーション）を起動している。スケジュールアプリケーションは、バックグラウンドで動作する、常時、起動しているアプリケーションである。スケジュールアプリケーションは、ユーザー操作を受け付けて、予定を設定する。例えば、スケジュールアプリケーションは、「１９時  夕食」という予定を設定する。
【００４０】
所定の時間となり、スケジュールアプリケーションにより、設定された予定の時間が検出された場合、すなわち、予定という時間の条件が満たされた場合、システム１は、他のアプリケーション（第２アプリケーション）を起動する。例えば、スケジュールアプリケーションにより検出された予定が「夕食」である場合、システム１は、レストランガイドアプリケーションを起動する。ここで、複数のレストランガイドアプリケーションがある場合、システム１は、ユーザー特性が蓄積されたビッグデータに基づいて、起動するレストランガイドアプリケーションを決定する。例えば、ユーザーのアプリケーションの使用履歴として、Ａレストランガイドアプリケーション、及び、Ｂレストランガイドアプリケーションのうち、Ｂレストランガイドアプリケーションの使用履歴が高ければ、システム１は、Ｂレストランガイドアプリケーションを起動する。以降の処理は、図１に示す動作と同様である。
【００４１】
図３は、他の例のシステムの構成を示す図である。システム１は、レシピアプリケーション（第１アプリケーション）を起動している。レシピアプリケーションは、ユーザーに料理のレシピを紹介する。すなわち、レシピアプリケーションは、レシピという情報を提示する。レシピアプリケーションは、ユーザーによるレシピの選択を受け付ける。レシピアプリケーションにより、提示されたレシピ（情報）が選択されると、システム１は、レシピの食材を購入可能なショッピングアプリケーション（第２アプリケーション）を起動する。ショッピングアプリケーションは、レシピの食材を提示し、ユーザーに購入を促す。ショッピングアプリケーションは、提示された食材が購入された場合、購入履歴をクラウドサーバーに送信する。
【００４２】
クラウドサーバーは、食材の購入履歴を受信し、受信した食材の購入履歴を、ユーザー特性として、ビッグデータに蓄積する。システム１は、ビッグデータ（食材の購入履歴）を利用して、ショッピングアプリケーションに誘導したレシピアプリケーションの運営元に、広告収入として、所定額の課金を行う。このように、ショッピングアプリケーションにより提示された情報に基づいて、食材の購入という収益のフィードバックがなされた場合、システム１は、レシピアプリケーションの運営元に課金を行う。
【００４３】
以上説明したように、本実施形態では、システム１は、ナビゲーションアプリケーション（第１アプリケーション）を起動しているときに、ナビゲーションアプリケーションにより、目的地への誘導が行われた場合に、例えば、レストランガイドアプリケーション（第２アプリケーション）を起動する。これにより、アプリケーション間（ナビゲーションアプリケーションとレストランガイドアプリケーション）の連携が可能となる。
【００４４】
また、本実施形態では、システム１は、スケジュールアプリケーション（第１アプリケーション）を起動しており、スケジュールアプリケーションにより、予定の時間が検出された場合に、例えば、レストランガイドアプリケーション（第２アプリケーション）を起動する。これにより、アプリケーション間（スケジュールアプリケーションとレストランガイドアプリケーション）の連携が可能となる。
【００４５】
また、本実施形態では、システム１は、ユーザー特性（例えば、アプリケーションの使用履歴）に基づいて、複数のアプリケーションの中から、起動するアプリケーションを決定し、決定したアプリケーションを起動する。例えば、システム１は、レストランガイドアプリケーションの使用履歴が高ければ、起動するアプリケーションをレストランガイドアプリケーションに決定し、決定したレストランガイドアプリケーションを起動する。これにより、ユーザー特性に基づいた最適なアプリケーションを起動し、ユーザーに最適な情報を提供することが可能となる。
【００４６】
また、本実施形態では、システム１は、アプリケーションが紹介した情報に従って収益のフィードバック（例えば、レストランの利用）がなされた場合、アプリケーションの運営元に課金を行う。これにより、アプリケーションの運営元は、広告収入を得ることができる。
【００４７】
また、本実施形態では、システム１は、レシピアプリケーション（第１アプリケーション）を起動しており、且つ、レシピアプリケーションにより提示されたレシピ（情報）が選択された場合、ショッピングアプリケーション（第２アプリケーション）を起動する。これにより、アプリケーション間（レシピアプリケーションとショッピングアプリケーション）の連携が可能となる。
【００４８】
また、本実施形態では、ショッピングアプリケーション（第２アプリケーション）により提示された情報に基づいて、食材の購入という収益のフィードバックがなされた場合、レシピアプリケーション（第２アプリケーション）の運営元に課金を行う。これにより、レシピアプリケーションの運営元は、広告収入を得ることができる。
【００４９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５０】
上述の実施形態においては、アプリケーションとして、ナビゲーションアプリケーション、レストランガイドアプリケーション、スケジュールアプリケーション、レシピアプリケーション、ショッピングアプリケーションを例示したが、これらに限られない。また、ナビゲーションアプリケーションの起動中に、レストランガイドアプリケーションが起動する場合を例示したが、レストランガイドアプリケーションの起動中に、ナビゲーションアプリケーションが起動してもよい。
【産業上の利用可能性】
【００５１】
本発明は、アプリケーションを有するシステムに好適に採用され得る。
【符号の説明】
【００５２】
１  システム
【図１】
2019114044.tif 000003
【図２】
2019114044.tif 000004
【図３】
2019114044.tif 000005